(57)【要約】【課題】タッチパネルを備えた表示装置において、ユーザの誤操作による誤表示を防止する。【解決手段】ＥＣＵ１０は、表面にタッチパネルが貼り付けられたディスプレイの表示情報を制御する。ＥＣＵ１０は、判断部１１、第１処理部１２、第２処理部１３を含む。判断部１１は、タッチパネルからの信号Ｄｔの入力の有無、および、タッチパネルの裏面側に設けられたスイッチからの信号Ｄｓの入力の有無を判断する。第１処理部１２は、信号Ｄｔが入力されている場合、信号Ｄｔに対応する正規処理の実行開始の許否をユーザに確認するための確認情報をディスプレイに表示させる。第２処理部１３は、信号Ｄｔの入力によってディスプレイに確認情報が表示されている状態でさらに信号Ｄｓが入力された場合、信号Ｄｔに対応する正規処理を実行する。【選択図】図３
2012094035.tif 000002
【特許請求の範囲】
【請求項１】
ディスプレイと、
前記ディスプレイの表面側に設けられ、ユーザが触れた位置を示す第１信号を出力するタッチパネルと、
前記ディスプレイの裏面側に設けられ、ユーザが前記タッチパネルに触れた状態でさらに前記タッチパネルを押し方向に押した場合に第２信号を出力する出力装置とを備え、
前記ディスプレイと前記タッチパネルと前記出力装置とに接続され、前記ディスプレイに表示させる情報を制御する制御装置とを備え、
前記制御装置は、前記第１信号および前記第２信号に応じて前記情報を変更する、表示装置。
【請求項２】
前記制御装置は、前記第１信号が入力されかつ前記第２信号が入力されていない場合、前記第１信号に対応する正規処理の実行開始の許否をユーザに確認するための確認情報を前記ディスプレイに表示させる、請求項１に記載の表示装置。
【請求項３】
前記制御装置は、前記第１信号の入力によって前記ディスプレイに前記確認情報が表示されている状態でさらに前記第２信号が入力された場合、前記正規処理の実行を開始する、請求項２に記載の表示装置。
【請求項４】
前記制御装置は、前記第１信号の入力によって前記ディスプレイに前記確認情報が表示されている状態で前記第１信号が入力されなくなった場合、前記正規処理を実行しない、請求項２に記載の表示装置。
【請求項５】
前記ディスプレイおよび前記タッチパネルは、前記押し方向に一体的に移動可能に構成され、
前記出力装置は、前記ディスプレイおよび前記タッチパネルがユーザによって前記押し方向に移動されたことに応じて開状態から閉状態に切替えられるスイッチ回路である、請求項１〜４のいずれかに記載の表示装置。
【発明の詳細な説明】
【技術分野】
【０００１】
本発明は、デジタルカメラや携帯電話などに搭載され映像などの情報を表示する表示装置に関し、特に、タッチパネルを備えた表示装置に関する。
【背景技術】
【０００２】
デジタルカメラ、携帯電話、カーナビゲーションなどに搭載される表示装置には、タッチパネルを備えたものが多く存在する。従来のタッチパネルは、通常のボタン入力のようなクリック感がなく、入力されたかどうかの確認がしづらいものがあった。このような問題に鑑み、特開２０１０−４９３１６号公報（特許文献１）には、タッチパネルの裏面にメタルドームスイッチを配置することで、タッチパネルにクリック感を持たせる技術が開示されている。
【先行技術文献】
【特許文献】
【０００３】
【特許文献１】特開２０１０−４９３１６号公報
【発明の概要】
【発明が解決しようとする課題】
【０００４】
しかしながら、特許文献１の技術では、タッチパネルにクリック感を持たせることはできても、タッチパネル操作そのものがユーザによる誤操作であった場合には、その誤操作による誤表示を防止することはできない。
【０００５】
本発明は、上述の課題を解決するためになされたものであって、その目的は、タッチパネルを備えた表示装置において、ユーザの誤操作による誤表示を防止することである。
【課題を解決するための手段】
【０００６】
この発明に係る表示装置は、ディスプレイと、ディスプレイの表面側に設けられ、ユーザが触れた位置を示す第１信号を出力するタッチパネルと、ディスプレイの裏面側に設けられ、ユーザがタッチパネルに触れた状態でさらにタッチパネルを押し方向に押した場合に第２信号を出力する出力装置とを備え、ディスプレイとタッチパネルと出力装置とに接続され、ディスプレイに表示させる情報を制御する制御装置とを備える。制御装置は、第１信号および第２信号に応じて情報を変更する。
【０００７】
好ましくは、制御装置は、第１信号が入力されかつ第２信号が入力されていない場合、第１信号に対応する正規処理の実行開始の許否をユーザに確認するための確認情報をディスプレイに表示させる。
【０００８】
好ましくは、制御装置は、第１信号の入力によってディスプレイに確認情報が表示されている状態でさらに第２信号が入力された場合、正規処理の実行を開始する。
【０００９】
好ましくは、制御装置は、第１信号の入力によってディスプレイに確認情報が表示されている状態で第１信号が入力されなくなった場合、正規処理を実行しない。
【００１０】
好ましくは、ディスプレイおよびタッチパネルは、押し方向に一体的に移動可能に構成される。出力装置は、ディスプレイおよびタッチパネルがユーザによって押し方向に移動されたことに応じて開状態から閉状態に切替えられるスイッチ回路である。
【発明の効果】
【００１１】
本発明によれば、タッチパネルを備えた表示装置において、ユーザの誤操作による誤表示を防止することができる。
【図面の簡単な説明】
【００１２】
【図１】表示装置の断面を模式的に示す図である。
【図２】図１のＡ−Ａ断面図である。
【図３】ＥＣＵの機能ブロック図である。
【図４】ＥＣＵの処理手順を示すフローチャートである。
【図５】誤操作防止機能によるディスプレイの表示画像の状態遷移図である。
【発明を実施するための形態】
【００１３】
以下、本発明の実施の形態について、図面を参照しながら詳細に説明する。なお、図中同一または相当部分には同一符号を付してその説明は原則として繰り返さない。
【００１４】
図１は、本実施の形態に従う表示装置１００の断面を模式的に示す図である。図２は、図１のＡ−Ａ断面図である。なお、以下では、表示装置１００がデジタルカメラに搭載されデシタルカメラで撮像した映像の表示に用いられるものとして説明するが、用途はこれに限定されない。
【００１５】
この表示装置１００は、ケース１、タッチパネル２、ディスプレイ３、弾性支柱４、スイッチ５、電子制御装置（以下、「ＥＣＵ」という）１０を備える。
【００１６】
ケース１は、撮像用レンズや撮像素子（図示せず）、ＥＣＵ１０など、デジタルカメラ全体を覆う容器である。ケース１の表面の一部には凹形状の窪み部分１Ａが設けられ、この窪み部分１Ａにタッチパネル２、ディスプレイ３、弾性支柱４、スイッチ５が設けられる。
【００１７】
ディスプレイ３は、略長方形状（図２参照）の液晶パネルである。ディスプレイ３は、ＥＣＵ１０に接続され、ＥＣＵ１０からの制御信号Ｓ１に応じた画像を表示する。
【００１８】
タッチパネル２は、ディスプレイ３の表面（ユーザに映像を表示する面）の全体に貼付けられる。タッチパネル２は、ＥＣＵ１０に接続され、ユーザがタッチパネル２に触れると、ユーザが触れた位置を示す信号ＤｔをＥＣＵ１０に出力する。
【００１９】
弾性支柱４は、ディスプレイ３の裏面の四隅にそれぞれ１本づつ（合計４本）設けられ、ディスプレイ３の裏面と窪み部分１Ａの底面１Ｂとの間に固定される。ユーザがタッチパネル２に触れた状態でさらにタッチパネル２を押し方向（矢印αの方向）に押す操作（以下、単に「押し操作」ともいう）をした場合、押す力が弾性支柱４の弾性力よりも大きな力であると弾性支柱４が弾性変形し、タッチパネル２およびディスプレイ３が一体的に押し方向αに移動する。ユーザがタッチパネル２を押す力を緩めると、弾性支柱４は元の状態に戻り、タッチパネル２およびディスプレイ３が元の位置に戻る。
【００２０】
スイッチ５は、ディスプレイ３の裏面と底面１Ｂとの間に設けられる。スイッチ５は、底面１Ｂの略中央部に固定される。スイッチ５は、バネ性を有しており、通常は開状態に維持される。ディスプレイ３の裏面がスイッチ５に当接した状態でユーザがさらにスイッチ５の弾性力よりも大きい力を加える（すなわち弾性支柱４の弾性力とスイッチ５の弾性力との合計値よりも大きな力でタッチパネル２を押す）と、ディスプレイ３の裏面でスイッチ５が押される（開状態から閉状態に変化する）。スイッチ５が押されると、スイッチ５から信号ＤｓがＥＣＵ１０に出力される。
【００２１】
ＥＣＵ１０は、図示しないＣＰＵ（Ｃｅｎｔｒａｌ  Ｐｒｏｃｅｓｓｉｎｇ  Ｕｎｉｔ）およびメモリを内蔵し、当該メモリに記憶された画像データによる画像や文字などの情報をディスプレイ３に表示させるための制御信号Ｓ１を生成し、ディスプレイ３に出力する。この際、ＥＣＵ１０は、タッチパネル２からの信号Ｄｔおよびスイッチ５からの信号Ｄｓに応じてディスプレイ３の表示情報を変更する。具体的には、ＥＣＵ１０は、信号Ｄｔおよび信号Ｄｓに基づいて、ユーザの誤操作による誤表示の防止を促す態様でディスプレイ３の表示情報を制御する。このような機能（以下、「誤操作防止機能」という）を有する点が本実施の形態に従う表示装置１００の最も特徴的な点である。
【００２２】
図３は、誤操作防止機能に関する部分のＥＣＵ１０の機能ブロック図である。図３に示した各機能ブロックは、電子回路等によるハードウェアによって実現してもよいし、プログラムの実行等によるソフトウェアによって実現してもよい。
【００２３】
ＥＣＵ１０は、判断部１１、第１処理部１２、第２処理部１３を含む。
判断部１１は、タッチパネル２からの信号Ｄｔの入力の有無、および、スイッチ５からの信号Ｄｓの入力の有無を判断する。
【００２４】
第１処理部１２は、信号Ｄｔが入力されている場合、信号Ｄｔに対応する正規処理の実行開始の許否をユーザに確認するための確認情報をディスプレイ３に表示させる処理（以下、「確認処理」という）を行なう。第１処理部１２は、信号Ｄｔが入力されなくなった場合、または、信号Ｄｔが入力されている状態でさらに信号Ｄｓが入力された場合、確認処理を停止する。
【００２５】
第２処理部１３は、信号Ｄｔの入力によってディスプレイ３に確認情報が表示されている状態でさらに信号Ｄｓが入力された場合、信号Ｄｔに対応する正規処理を実行する。
【００２６】
なお、以下では、理解し易くするため、正規処理を「ユーザが触れた位置に対応する画像を全画面表示する処理」とし、確認処理を「ユーザが触れた位置に対応する画像を反転・部分拡大する処理」として説明する。
【００２７】
図４は、誤操作防止機能を実現するためのＥＣＵ１０の処理手順を示すフローチャートである。図４に示すフローチャートの各ステップ（以下、ステップを「Ｓ」と略す）は、上述したようにハードウェアによって実現してもよいしソフトウェアによって実現してもよい。図４に示すフローチャートは、所定の周期で繰り返し実行される。
【００２８】
Ｓ１０にて、ＥＣＵ１０は、信号Ｄｔが入力されたか否かを判断する。信号Ｄｔが入力されている場合（Ｓ１０にてＹＥＳ）、処理はＳ２０に移される。信号Ｄｔが入力されていない場合（Ｓ１０にてＮＯ）、処理はＳ５０に移される。
【００２９】
Ｓ２０にて、ＥＣＵ１０は、確認処理を実行し、ユーザが触れた位置に対応する画像を反転・部分拡大させる。
【００３０】
Ｓ３０にて、ＥＣＵ１０は、信号Ｄｓが入力されたか否かを判断する。信号Ｄｓが入力されると（Ｓ３０にてＹＥＳ）、処理はＳ４０に移される。そうでないと（Ｓ３０にてＮＯ）、この処理は終了される。
【００３１】
Ｓ４０にて、ＥＣＵ１０は、正規処理を実行し、ユーザが触れた位置に対応する画像を全画面表示させる。
【００３２】
Ｓ５０にて、ＥＣＵ１０は、確認処理中であるか否かを判断する。確認処理中である場合（Ｓ５０にてＹＥＳ）、処理はＳ６０に移される。そうでないと（Ｓ５０にてＮＯ）、この処理は終了される。
【００３３】
Ｓ６０にて、ＥＣＵ１０は、確認処理の実行を終了させ、ユーザがタッチパネル２に触れる前の画像を表示させる。
【００３４】
図５は、誤操作防止機能によるディスプレイ３の表示画像の状態遷移図である。
図５（Ａ）は、ユーザがタッチパネル２に触れる前の初期画像を示す。図５（Ａ）では、いわゆるマルチ表示によって、複数の画像１ａ〜３ｄ（合計１２）が表示されている。図５（Ｂ）は確認処理時の画像を示す。図５（Ｃ）は正規処理時の画像を示す。
【００３５】
図５（Ａ）のような初期画像が表示されている状態で、ユーザが画像３ａの表示箇所に軽く（スイッチ５が押されない程度の力で）触れると、画像３ａの表示位置を示す信号Ｄｔがタッチパネル２からＥＣＵ１０に出力される。これに伴ない、確認処理が実行され、図５（Ｂ）に示すように、画像３ａが反転・部分拡大される。この図５（Ｂ）に示す画像が確認画像（確認情報）である。ユーザは、正規処理時の画像への遷移前に、自らが選択したい画像とＥＣＵ１０が認識している画像３ａとが一致するか否かを図５（Ｂ）に示す確認画像を見て確認することができる。
【００３６】
図５（Ｂ）の確認画像を見みながら（確認画像が表示された状態で）自らが選択したい画像と画像３ａとが一致することを確認したユーザがさらに強い力（弾性支柱４の弾性力とスイッチ５の弾性力の合計値よりも大きな力）でタッチパネル２を押すと、スイッチ５が押されて信号Ｄｓがスイッチ５からＥＣＵ１０に出力される。これに伴ない、正規処理が実行され、図５（Ｃ）に示すように、画像３ａがディスプレイ３の全画面に表示される。
【００３７】
一方、図５（Ｂ）の確認画像を見ながら（確認画像が表示された状態で）自らが選択したい画像と画像３ａとが異なることを確認したユーザがタッチパネル２に触れるのを止めると、図５（Ｃ）に示す全画面表示には遷移されず（正規処理は実行されず）、図５（Ａ）に示す初期画面に戻される。
【００３８】
このように、本実施の形態に従う表示装置１００は、ユーザによるタッチパネル操作の検出を、タッチパネル２とスイッチ５とを組合わせた２段階とすることで、ユーザの誤操作による誤表示を防止することができる。また、従来のタッチパネルはクリック感がなく押したかどうかの判断が難しいものもあるが、本実施の形態に従う表示装置１００では、スイッチ５にバネ性を持たせることでクリック感の改善も図ることができる。また、タッチパネル操作を２段階で検出することにしたことによって、誤操作防止機能に限らず、他の新たな機能化にも応用でき、さらなる多機能化が実現可能である。
【００３９】
なお、本実施の形態においては、弾性支柱４をディスプレイ３の四隅にそれぞれ１本づつ合計４本設けたが、押し操作に応じてスイッチ５を押すことが可能であれば、弾性支柱４の配置および数はこれに限定されない。また、押し操作に応じたタッチパネル２およびディスプレイ３自身のたわみによってスイッチ５を押すことが可能であれば、弾性支柱４に代えて非弾性の支柱を用いることも可能である。
【００４０】
また、本実施の形態においては、スイッチ５を底面１Ｂの略中央部に１つ設けたが、押し操作を検出可能であれば、スイッチ５の配置および数はこれに限定されない。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４２】
１  ケース、１Ａ  窪み部分、１Ｂ  底面、１ａ〜３ｄ  画像、２  タッチパネル、３  ディスプレイ、４  弾性支柱、５  スイッチ、１０  ＥＣＵ、１１  判断部、１２  第１処理部、１３  第２処理部、１００  表示装置。
【図１】
2012094035.tif 000003
【図２】
2012094035.tif 000004
【図３】
2012094035.tif 000005
【図４】
2012094035.tif 000006
【図５】
2012094035.tif 000007